(57)【要約】【課題】  流体静力学高圧逃がし弁および逆止め弁の機能を果たすことが可能な複式逆止め高圧逃がし弁を提供する。【解決手段】  新規な弁は、ガイド内の２つの座の内部に設けられ、プラグで固定されたスプリングによって分かれた２つのポペットを有する。座を調整することにより、逃がし圧の設定が行われる。複式逆止め高圧逃がし弁は、３本の別個の通路を有し、流体静力学回路内において、必要な機能に合わせ、異なる組み合わせの通路を流体が流れるように構成されている。また、ダッシュポットが、２つのポペット間に設けられ、装置の減衰を確実に行う。【選択図】  図１
2005140324.tif 000002
【特許請求の範囲】
【請求項１】
双方向の連続的な流体の流れに対し逆止め、および逃がし機能を有する流体静力学回路であって、
第１と第２の流体出口を有するモータと、
モータの第１の流体出口と流体接続された第１の流体ラインと、
モータの第２の流体出口と流体接続された第２の流体ラインと、
第１と第２の流体ラインを介してモータに流体接続されたポンプと、
第１と第２の流体ラインに流体接続された第１と第２と第３の通路を有する複式逆止め高圧逃がし弁とを備え、
前記第１の流体ラインは、第１の通路に流体接続されており、前記第２の流体ラインは、第２の通路に流体接続されており、前記複式逆止め高圧逃がし弁は、流体静力学回路において双方向の連続的な流れに対して逆止め、および逃がし機能を果たすようになっており、充填ポンプは、複式逆止め高圧逃がし弁の第３の通路に流体接続されていることを特徴とする流体静力学回路。
【請求項２】
双方向の連続的な流体の流れに対して逆止め、および逃がし機能を果たすように構成された、高圧流体ラインと、低圧流体ラインと、充填圧流体ラインとを有する流体静力学回路用の複式逆止め高圧逃がし弁であって、
充填圧流体ラインに流体接続された第１の通路を有するハウジングと、低圧ラインに流体接続された第２の通路と、高圧流体ラインに流体接続された第３の通路と、孔とを有するハウジングと、
孔の内部に配設され、少なくとも１本の通路を遮断するように構成されている第１のポペットと、
第１のポペットに機能的に接続されており、第１のポペットを起動するよう構成されているスプリングと、
スプリングに機能的に接続され、孔内に配設されている第２のポペットを備え
前記スプリングは、ポペットを起動して前記双方向のうちの一方向に連続的に流れる流体を制御するようになっていることを特徴とする複式逆止め高圧逃がし弁。
【請求項３】
流体流操作モードを、逆転、逃がし、および逆止めするように構成された流体静力学回路用の複式逆止め高圧逃がし弁であって、
複数の通路と孔が貫通して形成されているハウジングと、
複数の開口と第１と第２の開放端を有し、孔の中に取り外し可能に配設されている中空ガイドと、
ガイドの第１の開放端を通って配設されている複数の開口を有する第１の座と、
ガイドの第２の開放端を通って配設され、第１の座に固定して取り付けられるように構成されている複数の開口を有する第２の座と、
第１の座を貫通して配設されている第１のポペットと、
第２の座を貫通して配設されている第２のポペットと、
第１と第２のポペットに機能的に接続されて、それらを起動するスプリングとを備え、
前記ポペットの起動により、弁の起動モードが決定されるようになっていることを特徴とする複式逆止め高圧逃がし弁。
【発明の詳細な説明】
【技術分野】
【０００１】
本発明は、流体静力学回路用の複式逆止め逃がし弁に関する。
【背景技術】
【０００２】
典型的な流体静力学回路では、２つの逆止め逃がし弁を使用している。第１は閉鎖弁であり、流体静力学回路の高圧側が弁の設定値を超えると、高圧逃がし弁として作用する。第２は逆止め逃がし弁で、開放することにより、ポンプへの充填流入を許容する逆止め弁を有する。ポンプが作動して逆流が起こると、第１の逆止め逃がし弁は開放し、ポンプ内への充填流入を許容するとともに、第２の逆止め逃がし弁は、閉鎖して高圧逃がし弁として作動する。
【０００３】
この２弁装置は、流体静力学回路を機能させるには効果的ではあるが、２つの別体の弁を製造するため、弁の製造に多大なコストがかかる可能性がある。さらに、製造工程において、２つの別体の弁を加工しなければならないため、その加工に時間がかかる。従って、従来、流体静力学回路において、２つの別体の逆止め逃がし弁の機能を有する単体の弁を設けることが望まれている。弁を１つとすることにより、製造コストと時間が大幅に削減される。
【発明の開示】
【発明が解決しようとする課題】
【０００４】
従って、本発明の主な目的は、従来の状態を改善することができる流体静力学回路用の複式逆止め逃がし弁を提供することにある。
【０００５】
本発明の別の目的は、流体静力学ループにおいて、双流動方向に対し、逆止めおよび逃がしの機能を兼ね備えた単体の弁を提供することにある。
【０００６】
本発明のさらに別の目的は、流体静力学ループに単体の弁を設けて、エンドキャップを小型化することにある。
【０００７】
本発明のもう一つの目的は、流体静力学ポンプを製造する際の時間とコストを削減することにある。
【０００８】
本発明のさらに別の目的は、流体静力学回路内において、逆止め、逃がし作用を行う際のコストを削減することにある。
【０００９】
本発明のさらに別の目的は、逃がし機能で確実に減衰を行うためのダッシュポットを使用することにある。
【００１０】
本発明における上記の、またその他の目的、特徴、および効果は、明細書および特許請求の範囲における記載から明らかとなると思う。
【課題を解決するための手段】
【００１１】
本発明は、複式逆止め逃がし弁の機能を有する逆止め逃がし弁に関する。逆止め逃がし弁は、ガイド内のスプリングに機能的に接続された第１と第２のポペットを有する。第１および第２のポペットは、それぞれ、第１の座と第２の座内に配設されている。複式逆止め弁は、３本の別体の通路を有する。その１本は、流体静力学回路の高圧ラインと流体連通しており、第２の流路は、流体静力学回路の低圧側と流体連通しており、もう１本は、流体静力学回路の充填圧流体ラインと流体連通している。
【００１２】
流体静力学回路の３本の流体ラインに流動的に接続することにより、本発明の逆止め弁は、スプリング−ポペット設計を利用して、流体を回路内で要望どおり流動させ、２つの別体の逆止め逃がし弁の機能を果たすことができる。
【発明を実施するための最良の形態】
【００１３】
図１は、高圧流体ライン１４と低圧流体ライン１６に流体を給送するモータ１２を備え、逃がし弁１８が、流体静力学回路のいずれの側が低圧で、いずれの側が高圧かを判断するように構成された典型的な流体静力学回路１０を示す。
【００１４】
流体静力学回路１０は、流体を充填逃がし弁２２と複式逆止め高圧弁２４へ給送するチャージポンプ２０も備えている。また、複式逆止め高圧逃がし弁には、高圧および低圧ライン１４，１６それぞれから流体が流入する。高圧および低圧ライン１４，１６からの流体は、制御ハンドル３０によって制御される置換制御弁２８に流体接続されたポンプ２６へ流れる。
【００１５】
また、回路内部には、熱交換バイパス３２、熱交換器３４、リザーバ３６、およびフィルタ３８を設けてある。流体静力学回路１０には、充填圧逃がし弁４０またはループフラッシングモジュール４１を設けてもよい。
【００１６】
複式逆止め高圧逃がし弁２４は、図２に示す弁構成要素を有する。弁構成要素は、第１のポペット４６とスプリング４８が貫通する開口４５を有する第１の座４４を有する。スプリング４８は、第２のポペット５０に接続されており、第１の弁座４４、第１のポペット４６、スプリング４８、および第２のポペット５０は、流動孔５３を有するガイド５２を貫通して配設されており、開口５５を有する第２の座５４と接続されている。これらの構成要素は、プラグ５６で密閉されている。
【００１７】
ポペット４６，５０およびスプリング４８は、ガイド５２の内部に組み込まれており、ねじ山付き座４４および５４は、ガイド５２とともに定位置に螺合されている。第１と第２の座４４、５４を、適当なばね負荷まで回転させることにより、逃がし圧が設定される。第１と第２の座４４、５４は、ガイド５２の中心の流動孔５３を通して、圧着もしくは溶接により係止されている。組み立てて逃がし圧を設定後、プラグ５６をガイド５２に取り付けて、単一のカートリッジを形成する。
【００１８】
図３〜図５に示すように、複式逆止め高圧逃がし弁２４は、エンドキャップ５８、中心孔５９、第１の流体通路６０、第２の流体通路６２、および第３の流体通路６４を有するハウジング５７を備えている。ダッシュポット６５は、第１と第２のポペット４６，５０に機能的に接続されている。
【００１９】
作動時、第１の流体通路６０が充填ポンプ２０と連通して、ポンプからの流れを受容し、第２の流体通路は低圧ライン１６へ連通し、第３の流体通路６４は、高圧ライン１４へ連通する。弁２４内では、開口４５、５３、および５５によって流体が流れるように構成されている。
【００２０】
図３に示すように、弁２４は、第２の流体通路６２からの流れを遮断することによって、逆止め弁として機能し、第１の流体通路６０から第３の流体通路６４へ、流路６６に沿って充填される。
【００２１】
図４は、逆止め弁が逆転して、第３の流体通路６４からの流れを遮断するとともに、第１の流体通路６０から第２の流体通路６２への流れを許容し、第２の流路６８を形成する運転を示している。
【００２２】
図５に示すように、弁２４が逃がしモードにあるときには、流体は、第３の流体通路６４から第１の流体通路６０まで、第３の流路７０に沿って流れる。逃がしまたは第１のポペット４６が移動すると、流体は、強制的にわずかな隙間を通ってダッシュポット６５から押出され、よって、両ポペット４６，５０の振動を減衰し、流れが不安定になったり、あるいは流体に異音が発生する。
【００２３】
この弁が、流体静力学ループにおける２方向の流れに対して逆止めおよび逃がし機能を果たすことが理解できると思う。単一の弁を使用しているため、エンドキャップは小型でよく、加工時間やコストが削減でき、流体静力学回路の製造コストが削減できる。さらに、２つのポペット間のダッシュポットにより、逃がし機能が確実に減衰される。よって、本発明のすべての目的が果たされる。
【００２４】
当業者には、本装置において、本発明の範囲を外れることなく、他のさまざまな変更が可能であることは理解できると思う。これらの変更および修正は、特許請求の範囲に含まれるとともに、その範囲内に収まるように実行されるものとする。
【図面の簡単な説明】
【００２５】
【図１】本発明による、複式逆止め高圧逃がし弁を有する典型的な流体静力学回路の概略図である。
【図２】複式逆止め高圧逃がし弁内で使用する弁構成要素の斜視図である。
【図３】通常の運転における複式逆止め高圧逃がし弁の断面図である。
【図４】逆流の際の複式逆止め高圧逃がし弁を示す断面図である。
【図５】弁が開放状態にある複式逆止め高圧逃がし弁を示す断面図である。
【符号の説明】
【００２６】
１０  流体静力学回路
１２  モータ
１４  高圧流体ライン
１６  低圧流体ライン
１８  逃がし弁
２０  チャージポンプ
２２  充填逃がし弁
２４  複式逆止め高圧弁
２６  ポンプ
２８  置換制御弁
３０  制御ハンドル
３２  熱交換バイパス
３４  熱交換機
３６  リザーバ
３８  フィルタ
４０  充填圧逃がし弁
４１  ループフラッシングモジュール
４４  第１の座
４５  開口
４６  第１のポペット
４８  スプリング
５０  第２のポペット
５２  中空ガイド
５３  流動孔
５４  第２の座
５６  プラグ
５７  ハウジング
５９  中心孔
６０  第１の流体通路
６２  第２の流体通路
６４  第３の流体通路
６５  ダッシュポット
６６  流路
６８  第２の流路
７０  第３の流路
【図１】
2005140324.tif 000003
【図２】
2005140324.tif 000004
【図３】
2005140324.tif 000005
【図４】
2005140324.tif 000006
【図５】
2005140324.tif 000007